(57)【要約】  暫間的な有床義歯を迅速に作製することができる暫間連結人工歯用の型である、暫間連結人工歯用型を提供することを課題とする。  複数の人工歯が連結された暫間的に用いられる暫間連結人工歯（１）を製作するための型である暫間連結人工歯用型（１０）であって、型本体（１１）と、型本体に設けられ、暫間連結人工歯の形状に対応した形状を有する空洞（１２）と、を有し、空洞は、複数の人工歯の形状に対応した空洞である複数の人工歯用空洞（１３）と、隣接する人工歯用空洞同士を連通する空洞である連結用空洞（１４）と、を備える。
2014050309.tif 000002
【特許請求の範囲】
【請求項１】
複数の人工歯が連結された暫間的に用いられる暫間連結人工歯を製作するための型である暫間連結人工歯用型であって、
型本体と、前記型本体に設けられ、前記暫間連結人工歯の形状に対応した形状を有する空洞と、を有し、
前記空洞は、
前記複数の人工歯の形状に対応した空洞である複数の人工歯用空洞と、
隣接する前記人工歯用空洞同士を連通する空洞である連結用空洞と、を備える、
暫間連結人工歯用型。
【請求項２】
前記型本体は、可撓性を有する材料からなる請求項１に記載の暫間連結人工歯用型。
【請求項３】
請求項１又は２に記載の暫間連結人工歯用型の前記空洞に、硬化完了前の即時重合レジンを充填する工程と、
前記充填された前記即時重合レジンが硬化した後に前記暫間連結人工歯用型から、硬化後の前記即時重合レジンを離型する工程と、を有する、
暫間連結人工歯の作製方法。
【請求項４】
請求項３に記載の方法により暫間連結人工歯を作製する工程と、
前記暫間連結人工歯を義歯床に排列する工程と、を有する、
暫間有床義歯の作製方法。
【請求項５】
前記義歯床の作製に、光重合硬化型レジン、マイクロ波重合レジン、又は加熱重合レジンが用いられ、
蝋を含む義歯を作製する工程を含まない、
請求項４に記載の暫間有床義歯の作製方法。
【請求項６】
複数の人工歯が連結された暫間的に用いられる暫間連結人工歯であって、
前記人工歯を構成する部位である複数の人工歯部と、
隣接する前記人工歯部間を連結する連結部と、を備え、
全ての前記人工歯部及び前記連結部は、即時重合レジンにより境界なく一体に形成されている、
暫間連結人工歯。
【発明の詳細な説明】
【技術分野】
【０００１】
本発明は、暫間連結人工歯用型、暫間連結人工歯の作製方法、暫間有床義歯の作製方法、及び暫間連結人工歯に関する。
【背景技術】
【０００２】
義歯を利用する人々にとって、義歯は体の一部として機能し、日常生活を送る上で欠かすことができないものである。また義歯は毎日口腔内で機能していることから、その消耗も激しく、一定の期間で補修をしたり、新しい義歯への取り換えが必要である。【０００３】
一方、震災や大きな事故、災害等により多くの人々の財産が一度に失われ、避難や移住を余儀なくされることがある。このような場合には、義歯の補修や新しい義歯への取り換えが必要となる需要が一時期に大量に発生するとともに、義歯を供給するための設備も失われていることもある。【０００４】
例えば特許文献１乃至４には義歯の作製方法が開示されている。これら文献の記載からもわかるように、有床義歯の作製には非常に多くの工程と時間がかかってしまう。
また、特許文献５には、義歯用の連結歯に関する発明が開示されている。これは、複数の人工歯が連結材料により繋ぎ合わされており、人工歯を義歯床に固定する際に複数の人工歯をまとめて排列することが可能とされている。
【先行技術文献】
【特許文献】
【０００５】
【特許文献１】特開昭６２−１１７５５２号公報
【特許文献２】特開平０４−０１７８４８号公報
【特許文献３】特開平０６−０６３０６５号公報
【特許文献４】特開平１０−１３７２６４号公報
【特許文献５】特開平６−２６１９１７号公報
【発明の概要】
【発明が解決しようとする課題】
【０００６】
特許文献１〜４に記載された義歯作製の工程、又はこれを少し簡略化できる特許文献５に記載の技術を採用したとしても、通常時でさえ有床義歯が提供されるまでには多くの時間が必要である。まして、上記したように震災や災害等により一度に大量の義歯の需要が発生してしまうと、さらに義歯の作製には時間がかかる。また、当該震災や災害は多くの歯科診療所にも影響を与え、本来必要である義歯作製用の材料や設備が不十分となることもある。【０００７】
これに対して、暫間的であり、本来の人工歯や有床義歯に比べて精度や審美性等は劣るものの、迅速に提供することができる暫間的な人工歯、暫間的な有床義歯があれば一時的とはいえ利用者の快適を図ることができる。【０００８】
そこで本発明は、上記問題点に鑑み、暫間的な有床義歯を迅速に作製することができる暫間連結人工歯用の型である、暫間連結人工歯用型を提供することを課題とする。また、これを用いた暫間連結人工歯の作製方法、暫間有床義歯の作製方法、及び暫間連結人工歯を提供する。
【課題を解決するための手段】
【０００９】
以下、本発明について説明する。ここではわかりやすさのため括弧書きにて図面の参照符号を付すが、本発明はこれに限定されるものではない。【００１０】
請求項１に記載の発明は、複数の人工歯が連結された暫間的に用いられる暫間連結人工歯（１）を製作するための型である暫間連結人工歯用型（１０）であって、型本体（１１）と、型本体に設けられ、暫間連結人工歯の形状に対応した形状を有する空洞（１２）と、を有し、空洞は、複数の人工歯の形状に対応した空洞である複数の人工歯用空洞（１３）と、隣接する人工歯用空洞同士を連通する空洞である連結用空洞（１４）と、を備える、暫間連結人工歯用型である。【００１１】
請求項２に記載の発明は、請求項１に記載の暫間連結人工歯用型（１０）において、型本体（１１）は、可撓性を有する材料からなる。【００１２】
請求項３に記載の発明は、請求項１又は２に記載の暫間連結人工歯用型（１０）の空洞（１２）に、硬化完了前の即時重合レジンを充填する工程と、充填された即時重合レジンが硬化した後に暫間連結人工歯用型から、硬化後の即時重合レジンを離型する工程と、を有する、暫間連結人工歯の作製方法である。【００１３】
請求項４に記載の発明は、請求項３に記載の方法により暫間連結人工歯を作製する工程（Ｓ１１）と、暫間連結人工歯を義歯床に排列する工程（Ｓ１５）と、を有する、暫間有床義歯の作製方法（Ｓ１０）である。【００１４】
請求項５に記載の発明は、請求項４に記載の暫間有床義歯の作製方法（Ｓ１０）において、義歯床の作製に、光重合硬化型レジン、マイクロ波重合レジン、又は加熱重合レジンが用いられ、蝋を含む義歯を作製する工程を含まない。【００１５】
請求項６に記載の発明は、複数の人工歯が連結された暫間的に用いられる暫間連結人工歯（１）であって、人工歯を構成する部位である複数の人工歯部（２）と、隣接する人工歯部間を連結する連結部（３）と、を備え、全ての人工歯部及び連結部は、即時重合レジンにより境界なく一体に形成されている、暫間連結人工歯である。
【発明の効果】
【００１６】
本発明によれば、緊急であるにもかかわらず、用いることができる装置や材料が制限されている場合にも迅速に暫間有床義歯やそのための暫間連結人工歯を作製することができる。
【図面の簡単な説明】
【００１７】
【図１】暫間連結人工歯用型の正面図である。
【図２】暫間連結人工歯の正面図である。
【図３】暫間有床義歯の作製方法の流れを示す図である。
【図４】義歯床の作製を説明する図である。
【発明を実施するための形態】
【００１８】
本発明の上記した作用及び利得は、次に説明する発明の形態から明らかにされる。以下本発明を図面に示す形態に基づき説明する。ただし本発明はこれら形態に限定されるものではない。
【００１９】
図１は１つの形態を説明する図で、暫間連結人工歯用型１０の正面図である。図１では、その内側に設けられた空洞１２を破線で透視して示している。図２には、形成された暫間連結人工歯１の正面図を示した。暫間連結人工歯用型１０は、いわゆる成型用の型であり、ブロック状の型本体１１に、形成すべき暫間連結人工歯１に対応した空洞１２が設けられている。空洞１２はその一方が開口して開口部を具備しており、該開口部から材料の注入、及び成型後の暫間連結人工歯１の取り出し（離型）をおこなう。
【００２０】
空洞１２は、本形態では、上顎の６前歯が連結した１つの暫間連結人工歯１を形成することができる形状とされている。従って、空洞１２は、人工歯に対応した形状の空洞である人工歯部用空洞１３が６つ、隣接する人工歯部用空洞１３同士を連通する空洞である連結部用空洞１４を有している。そして人工歯部用空洞１３と連結部用空洞１４とは連通しており、１つの空洞１２を形成している。従って、空洞１２にある材料を充填すると、人工歯部用空洞１３及び連結部用空洞１４のいずれにもこの材料が充填され、全ての部位が境界なく同じ材料で満たされる。
【００２１】
暫間連結人工歯用型１０を形成する材料は、型として用いることができれば特に限定されることなく、金属や樹脂材料を広く用いることが可能である。ただし、当該材料としてラバー樹脂、ウレタン樹脂、シリコーン樹脂等の可撓性を有するものを用いることが好ましい。これにより、暫間連結人工歯用型１０に暫間連結人工歯１となる材料を充填したとき、硬化するまでの間、暫間連結人工歯用型１０に力を加え、適切に変形させることができ、成型される暫間連結人工歯１の形状を調整することが可能となる。また、形成された暫間連結人工歯１を暫間連結人工歯用型１０から離型するときも容易となる。
【００２２】
本形態では、上顎の６つの前歯を対象としているが、空洞１２の形態を変更することにより、その対象は適宜設定することができる。これには例えば上顎臼歯、下顎前歯、下顎臼歯を対象とすることが可能である。
また、必ずしも６つの人工歯を連結の対象とする必要はなく、２つ以上の人工歯を連結の対象としていればよい。
【００２３】
人工歯部用空洞１３の排列、すなわち、形成される暫間連結人工歯１の人工歯部２の排列は、特に限定されることはないが、例えば統計学的に求められた典型的な排列としておくことができる。このような典型的な排列のうち数種類を準備しておいてもよい。
ここで、離型性の観点から、いわゆるアンダーカット部が存在しないように人工歯部用空洞１３を形成してもよい。これによれば精密な歯牙形状を模擬したものとはならないが、離型性が向上し、緊急性を重視して迅速に暫間連結人工歯を形成する点で効果を奏するものとなる。ただし、暫間連結人工歯用型１０の型本体１１に可撓性があればアンダーカット部が存在しても、型本体１１の弾性変形により離型は可能である。
【００２４】
暫間連結人工歯用型１０によれば、これを例えば緊急に暫間的に人工歯が必要である際に、手元にある可能性の高い硬化性レジンにより、迅速に連結人工歯を作製することができる。作製方法については後で説明する。
従って、震災や事故などにより緊急であるにもかかわらず、用いることができる装置や材料が制限されている場合にも迅速に暫間連結人工歯用型１０により暫間連結人工歯１を作製することができる。
【００２５】
暫間連結人工歯用型１０は例えば次のように作製することができる。すなわち、最終的に形成される暫間連結人工歯１と同形状を有する石膏模型、蝋義歯、又は人の歯列等の周囲に、暫間連結人工歯用型１０の型本体１１となるべき硬化前の材料を充填し、適切な硬化方法によりこの材料を硬化させる。硬化後にこれを引き抜くように石膏模型等から取り外す。これにより少なくとも人工歯部用空洞が形成される。連結部用空洞はこの時点で形成されていることもあるが、一部にまだ形成されていない可能性もあるので、これを点検するとともに、連結部用空洞が形成されていない場合にはこの部分の材料を除去して隣接する人工歯部用空洞が連通するように連結部用空洞を形成する。
【００２６】
次に暫間連結人工歯１を作製する方法について説明する。ここでは暫間連結人工歯用型１０を用いた方法を例に説明する。
事前の準備として暫間連結人工歯用型１０を作製しておく。その際には上顎前歯、下顎前歯、上顎臼歯、下顎臼歯に対応したそれぞれを準備しておく。また、人工歯の排列についても典型的な数種類のものを準備しておくとよい。
このように準備しておいた暫間連結人工歯用型１０を、例えば震災や事故等により避難を余儀なくされた患者の元に持参する。
【００２７】
現地において、必要に応じて暫間連結人工歯１を作製する。すなわち、現地の歯科診療所等に配備されている重合して硬化するレジンを、硬化前の状態で暫間連結人工歯用型１０の空洞１２内に充填する。そして硬化後にレジンを暫間連結人工歯用型１０から離型し、レジンのみにより形成された暫間連結人工歯１を得ることができる。このとき、不要な部分があれば切り取る等して形を整える。
【００２８】
ここで、用いられるレジンとして即時重合レジンを挙げることができる。即時重合レジンは、歯科分野で様々な用途に用いられる材料であり、現地であっても入手できる可能性が高い。また、即時重合レジンは硬化完了までの時間が非常に短いので、求められる迅速な作業に対しても適切に対応することができる。即時重合レジンとしては、市販されている通常の即時重合レジンを用いることができる。即時重合レジンは、常温重合レジンと呼ばれることもある。
また、レジンを空洞１２に充填する前に、空洞１２の内面に離型剤を供給しておいてもよい。これにより離型性が向上する。
【００２９】
このようにして得られた暫間連結人工歯１は図２に示したような形態を有している。すなわち、人工歯として機能する複数の人工歯部２が連結部３により連結されている。そして人工歯部２と連結部３とは連続した同じ材料により境界なく一体で形成されている。
【００３０】
以上のような暫間連結人工歯用型１０による暫間連結人工歯の作製方法によれば、緊急に暫間的な人工歯が必要である際に、手元にある可能性の高い硬化性レジンにより、迅速に暫間連結人工歯を作製することができる。
従って、震災や事故などにより緊急であるにもかかわらず、用いることができる装置や材料が制限されている場合にも迅速に暫間連結人工歯１を作製することができる。
【００３１】
また、暫間連結人工歯１によれば、複数の人工歯が連結されているので、後述するように暫間有床義歯を作製するに際し、人工歯の排列を迅速容易におこなうことができる。
【００３２】
次に暫間連結人工歯１を用いて暫間有床義歯を作製する方法（「暫間有床義歯の作製方法Ｓ１０」と記載することがある。）を説明する。図３にその流れを示した。暫間有床義歯の作製方法Ｓ１０でも、暫間連結人工歯１の作製の趣旨を鑑み、義歯床の作製などを含め迅速かつ限られた設備で暫間有床義歯を作製する方法の例を示す。
【００３３】
暫間有床義歯の作製方法Ｓ１０は、暫間連結人工歯の作製Ｓ１１、印象採得Ｓ１２、石膏模型作製Ｓ１３、義歯床の作製Ｓ１４、及び人工歯排列Ｓ１５の各工程を含んでいる。
暫間連結人工歯の作製Ｓ１１は、暫間連結人工歯を作製する工程であり、上記説明した通りである。これによりその場で暫間連結人工歯を作製することができる。
【００３４】
印象採得Ｓ１２は、印象材を用いて患者の口腔内の印象を取得する工程である。印象材としては公知のものを用いることができる。ただし、印象取得後の硬化が速い印象材であることが好ましい。
【００３５】
石膏模型作製Ｓ１３は、採得した印象に石膏を流し込み、石膏模型を作製する工程である。用いられる石膏は特に限定されることはないが、できるだけ早く硬化するものであることが好ましく、速硬性の石膏を用いることが好ましい。
【００３６】
義歯床の作製Ｓ１４は、石膏模型作製Ｓ１３により作製した石膏模型を用いて、これにレジンを被せるようにして形状を石膏模型に沿わせて義歯床を作製する。本形態では効率よく迅速に暫間的な有床義歯を作製する観点から、ここで作製した義歯床を完成の暫間有床義歯の義歯床としてそのまま用いることとする。
【００３７】
そのため、義歯床の作製は例えば次のように行うことができる。すなわち、ここでは光重合硬化型シート状レジンを用いる。図４に説明図を示した。光重合硬化型シート状レジン２０は、変形可能なシート状のレジンで、所定の波長の光を照射することにより硬化するレジンである。図４からわかるように、このような光重合硬化型シート状レジン２０を石膏模型の義歯床を作製すべき部位に押し当てて形を整える。その後適切な波長の光を照射して硬化させ、形状を固定させる。
図４では上顎のみについて示したが、必要に応じて下顎側も同様におこなう。
【００３８】
人工歯排列Ｓ１５は、石膏模型上で、義歯床の作製Ｓ１４で製作した義歯床に暫間連結人工歯の作製Ｓ１１で製作しておいた暫間連結人工歯を排列する工程である。ここで、上顎前歯の暫間連結人工歯、及び上顎臼歯の暫間連結人工歯を上顎側の義歯床に、並びに、下顎臼歯の暫間連結人工歯、及び下顎前歯の暫間連結人工歯を下顎側の義歯床にそれぞれ固定して排列する。暫間連結人工歯の固定は、即時重合レジンを用いることができる。この際には複数の人工歯が連結された暫間連結人工歯を固定すればよいので、１つ１つ人工歯を排列するより、人工歯の排列を効率的かつ迅速に行うことが可能である。
【００３９】
以上のような有床義歯の作製方法Ｓ１０によれば、緊急に暫間的に有床義歯が必要である際に、迅速に簡易に暫間連結人工歯を作製することができることに加え、蝋義歯を作製した後から蝋をレジンに置き換える等、蝋を用いる手順を必要とすることなく、迅速に暫間的な有床義歯を得ることができる。
【００４０】
本形態は、義歯床の作製Ｓ１４で義歯床の作製に光重合レジンを用いた例を説明したが、義歯床の作製Ｓ１４ではここで作製した義歯床を完成の暫間有床義歯の義歯床としてそのまま用いることができればこれに限定されることはない。これには例えばマイクロ波重合レジン、加熱重合レジン等を挙げることができる。
【００４１】
また、有床義歯の作製方法Ｓ１０には、上記の他、有床義歯装着時の快適性を向上させるため、義歯床のうち、口腔面に接する側に軟質樹脂を積層してもよい。また、必要に応じて有床義歯を研磨する工程を設けてもよい。
【符号の説明】
【００４２】
１  暫間連結人工歯
２  人工歯部
３  連結部
１０  暫間連結人工歯用型
１１  型本体
１２  空洞
１３  人工歯部用空洞
１４  連結部用空洞
２０  光重合硬化レジン
【図１】
2014050309.tif 000003
【図２】
2014050309.tif 000004
【図３】
2014050309.tif 000005
【図４】
2014050309.tif 000006
【国際調査報告】
2014050309.tif 000007
2014050309.tif 000008